(57)【要約】      （修正有）【課題】オムツ使用者が便座に着座した状態で本人又は介護者がオムツを取り外して簡単に廃棄することができる腰掛式水洗便器を提供する。【解決手段】便器本体１０の側面上部には、便器開口部が形成されている。要介護者が紙オムツを交換する場合、オムツ収納容器６０を、便器開口部から水平方向に沿って便器本体１０内に部分的に挿入することにより便器本体１０に装着する。オムツ収納容器６０は、可燃性材料で作製されたものであって、便器本体１０内に挿入される容器先端部６１０と、その容器先端部６１０に連なる容器本体部６２０とを有する。容器先端部６１０の上面には、紙オムツを内部に取り込むためのオムツ取込口６１１が形成されている。要介護者が便座２０に着座した状態で紙オムツを便器本体１０内に落下させることにより、紙オムツはオムツ取込口６１１からオムツ収納容器６０に収納される。【選択図】図１
2019035273.tif 000002
【特許請求の範囲】
【請求項１】
利用者の排泄物を受ける便器本体と、前記便器本体の上側に設けられた、利用者が着座するための便座とを有し、前記便器本体内の排泄物を洗浄水により流して排水管に排出する腰掛式水洗便器において、
前記便器本体の所定の側面上部に形成された便器開口部と、
前記便器開口部を塞いで前記便器本体内の排泄物や洗浄水が外部に漏れるのを防止する着脱自在又は開閉自在な蓋部と、
前記蓋部を取り外して又は開けて前記便器開口部から水平方向に沿って前記便器本体内に挿入することにより前記便器本体に装着される、前記便座に着座した利用者のオムツを収納するためのオムツ収納容器と、
を備え、
前記オムツ収納容器は可燃性材料で作製されたものであり、前記オムツ収納容器の上面には、オムツを内部に取り込むためのオムツ取込口が形成されていることを特徴とする腰掛式水洗便器。
【請求項２】
利用者が排泄した後に洗浄水を前記便器本体内の洗浄水口へ供給し、その洗浄水口から利用者の局部に噴射させる局部洗浄装置を更に備えることを特徴とする請求項１記載の腰掛式水洗便器。
【請求項３】
前記蓋部は、シリコンゴムで作製された、前記便器本体に着脱自在に装着されるものであることを特徴とする請求項１又は２記載の腰掛式水洗便器。
【請求項４】
前記便座は、利用者の臀部が載置される後部分の高さがその後部分の前側に位置する前部分の高さよりも低くなるように形成されていることを特徴とする請求項１、２又は３記載の腰掛式水洗便器。
【請求項５】
前記オムツ収納容器は、前記便器本体内に挿入される部分であってその上面に前記オムツ取込口が形成された部分であるダンボール製の容器先端部と、その容器先端部に水平方向に連なるダンボール製の容器本体部と、前記オムツ取込口の周囲におけるダンボールの端縁部に設けられた、断面が略円形状である環状部材とを有しており、前記環状部材にはその長手方向に沿って切り込みが入れられ、前記環状部材の切り込みを入れた部分で、前記オムツ取込口の周囲におけるダンボールの端縁部を挟み込むことにより、前記環状部材が前記ダンボールの端縁部に取り付けられていることを特徴とする請求項１、２、３又は４記載の腰掛式水洗便器。
【請求項６】
前記オムツ収納容器は、
前記オムツ取込口の略中央部を通るように互いに対向する前記容器先端部の部位の間にピンと張った状態で設けられた紙部材と、
前記紙部材の略中央部の上面に取り付けられた粘着テープと、
Ｌ字状に曲がった管状部材であって、その表面には一方の開口端からＬ字に折曲した内側頂部を通って他方の開口端に向かう切れ目が形成されており、当該一方の開口端が前記粘着テープの側を向き当該他方の開口端が前記容器本体部の側を向くように前記容器先端部の底部に取り付けられたＬ型管状部材と、
前記Ｌ型管状部材の当該他方の開口端に対向する前記容器本体部の所定部位に形成された孔部と、
一端が前記粘着テープ又は前記紙部材に取り付けられた、前記Ｌ型管状部材の前記切れ目よりも細い直径を有する第一紐状部材と、
一端が前記第一紐状部材の他端に取り付けられており、前記Ｌ型管状部材内を通り前記容器本体部から前記孔部を介して外部に引き出された、前記Ｌ型管状部材の前記切れ目よりも太い直径を有する第二紐状部材と、
を有することを特徴とする請求項５記載の腰掛式水洗便器。
【請求項７】
前記便器開口部の外側に設けられた、前記容器先端部を前記便器開口部を介して前記便器本体内に挿入したときに前記オムツ収納容器が略水平状態を維持するように前記容器本体部を支持する支持手段を備えることを特徴とする請求項５又は６記載の腰掛式水洗便器。
【発明の詳細な説明】
【技術分野】
【０００１】
本発明は、オムツを使用している大人がオムツ交換時に利用することができる腰掛式水洗便器に関するものである。
【背景技術】
【０００２】
近年、高齢者や介護を受ける者の中には、尿漏れ対策や排泄ケア等のために紙オムツを使用する者が増えている。現在では、大人用の紙オムツとして様々な種類のものが販売されている。例えば、下着のように履いて装着するパンツタイプの紙オムツや、お尻の下に敷いた後に局部を覆うように前側に折り返し、両サイドをテープで固定するテープタイプの紙オムツ等がある。パンツタイプの紙オムツは、自分でトイレに行くことができる者や、介助があればトイレに行って便座に座ったり立ったりすることができる者等が使用するのに適している。一方、テープタイプの紙オムツは、ベッド等で寝て過ごす時間の長い者や、寝たきりの者等が使用するのに適している。
【０００３】
テープタイプの紙オムツの使用者は自分で紙オムツを交換することができないので、通常、介護者がベッド等の上で紙オムツの交換を行う。特に、紙オムツに排尿や排便をしていれば、介護者は肛門等の局部を清潔に洗浄する必要がある。このようなオムツ交換作業及び局部洗浄作業は介護者にとって大きな負担となっている。最近では、かかる介護者の負担軽減を図るために、おむつカッターを備える開閉式便座付き自立介護ベッド（特許文献１参照。）や、使用済おむつの収納密閉容器を備える介護老人用肛門洗浄装置（特許文献２参照。）等、さまざまな装置が提案されている。
【先行技術文献】
【特許文献】
【０００４】
【特許文献１】特開２００１−２７６１４７号公報
【特許文献１】実開平５−６８５２８号公報
【発明の概要】
【発明が解決しようとする課題】
【０００５】
これに対し、パンツタイプの紙オムツの使用者は、自分で又は介助を受けてトイレに行き、トイレで紙オムツの交換を行う。具体的に、パンツタイプの紙オムツの使用者は、オムツ交換時にトイレの便座に座って紙オムツを脱ぎ、その脱いだ紙オムツをビニール袋等に入れて廃棄している。このとき、便器に局部洗浄装置が備わっていれば、その局部洗浄装置を利用して自分の局部を洗浄する。そして、新たな紙オムツに履き替える。ところで、もしパンツタイプの紙オムツの使用者がその紙オムツの中で排便をしてしまった場合には、もはや本人だけでオムツ交換作業を行うことは難しく、介護者にオムツ交換作業を手伝ってもらう必要がある。実際、介護者は、本人の服や身体に便が付かないように紙オムツを取り外し、その紙オムツをビニール袋等に入れなければならない。しかしながら、本人を便座に座らせた状態でこのような作業を行うことは困難であり、介護者は紙オムツの使用者を立たせた状態で紙オムツの交換作業を行わなければならないので、作業に手間がかかるという問題があった。このため、たとえ紙オムツの使用者がその紙オムツの中で排便をしてしまった場合でも、本人が便座に着座した状態で本人又は介護者がオムツを取り外して簡単に廃棄することができるような機能を有する便器の実現が望まれている。
【０００６】
本発明は上記事情に基づいてなされたものであり、オムツ使用者が便座に着座した状態で本人又は介護者がオムツを取り外して簡単に廃棄することができる腰掛式水洗便器を提供することを目的とするものである。
【課題を解決するための手段】
【０００７】
上記の目的を達成するための本発明は、利用者の排泄物を受ける便器本体と、便器本体の上側に設けられた、利用者が着座するための便座とを有し、便器本体内の排泄物を洗浄水により流して排水管に排出する腰掛式水洗便器において、便器本体の所定の側面上部に形成された便器開口部と、便器開口部を塞いで便器本体内の排泄物や洗浄水が外部に漏れるのを防止する着脱自在又は開閉自在な蓋部と、蓋部を取り外して又は開けて便器開口部から水平方向に沿って便器本体内に挿入することにより便器本体に装着される、便座に着座した利用者のオムツを収納するためのオムツ収納容器と、を備え、オムツ収納容器は可燃性材料で作製されたものであり、オムツ収納容器の上面には、オムツを内部に取り込むためのオムツ取込口が形成されていることを特徴とするものである。
【０００８】
本発明の腰掛式水洗便器では、オムツを使用している高齢者や要介護者等の利用者がオムツを交換する場合、便器本体から蓋部を取り外して又は開けて、オムツ収納容器を便器本体に装着した後、利用者が便座に着座した状態で利用者本人又は介護者がオムツを便器本体内に落下させることにより、オムツはオムツ取込口からオムツ収納容器内に入り込んで、オムツ収納容器に収納される。このオムツを収納したオムツ収納容器はそのまま可燃ゴミとして廃棄することができるので、取り外したオムツの処分が簡単である。また、利用者又は介護者はその取り外したオムツを直接手で触れる必要がないので、オムツ処分の作業はとても衛生的である。
【０００９】
特に、本発明に係る腰掛式水洗便器は、利用者が排泄した後に洗浄水を便器本体内の洗浄水口へ供給し、その洗浄水口から利用者の局部に噴射させる局部洗浄装置を更に備えることが望ましい。これにより、オムツがオムツ収納容器に収納された後、オムツ収納容器を便器本体から取り外し、蓋部で便器開口部を塞げば、利用者は局部洗浄装置を使うことにより自らの局部を洗浄することができる。したがって、介護者は利用者のお尻を拭き取る等の作業を行う必要がなくなり、介護者の負担を軽減することができると共に、利用者にとっても尊厳が保たれるという効果がある。
【００１０】
また、本発明に係る腰掛式水洗便器において、蓋部は、シリコンゴムで作製された、便器本体に着脱自在に装着されるものであることが望ましい。シリコンゴムで作製された蓋部を用いることにより、蓋部を便器本体の側面側から便器開口部に容易に嵌め込むことができる。
【００１１】
更に、本発明に係る腰掛式水洗便器において、便座は、利用者の臀部が載置される後部分の高さがその後部分の前側に位置する前部分の高さよりも低くなるように形成されていることが望ましい。このような便座を設けたことにより、利用者が便座に着座すれば、利用者のお尻は自然に便座から少し浮いた状態になるので、オムツを身体から取り外し易くなる。
【００１２】
また、本発明に係る腰掛式水洗便器において、オムツ収納容器は、便器本体内に挿入される部分であってその上面にオムツ取込口が形成された部分であるダンボール製の容器先端部と、その容器先端部に水平方向に連なるダンボール製の容器本体部と、オムツ取込口の周囲におけるダンボールの端縁部に設けられた、断面が略円形状である環状部材とを有することが望ましい。この環状部材にはその長手方向に沿って切り込みが入れられ、環状部材の切り込みを入れた部分で、オムツ取込口の周囲におけるダンボールの端縁部を挟み込むことにより、環状部材はダンボールの端縁部に取り付けられる。このように、オムツ取込口の周囲におけるダンボールの端縁部に、断面が略円形状である環状部材を取り付けたことにより、オムツは環状部材にひっかかることなくその環状部材の表面をスムースに滑り落ちるので、オムツをオムツ収納容器の容器先端部内に確実に取り込むことができる。
【００１３】
更に、本発明に係る腰掛式水洗便器において、オムツ収納容器は、オムツ取込口の略中央部を通るように互いに対向する容器先端部の部位の間にピンと張った状態で設けられた紙部材と、紙部材の略中央部の上面に取り付けられた粘着テープと、Ｌ字状に曲がった管状部材であって、その表面には一方の開口端からＬ字に折曲した内側頂部を通って他方の開口端に向かう切れ目が形成されており、当該一方の開口端が粘着テープの側を向き当該他方の開口端が容器本体部の側を向くように容器先端部の底部に取り付けられたＬ型管状部材と、Ｌ型管状部材の当該他方の開口端に対向する容器本体部の所定部位に形成された孔部と、一端が粘着テープ又は紙部材に取り付けられた、Ｌ型管状部材の切れ目よりも細い直径を有する第一紐状部材と、一端が第一紐状部材の他端に取り付けられており、Ｌ型管状部材内を通り容器本体部から孔部を介して外部に引き出された、Ｌ型管状部材の切れ目よりも太い直径を有する第二紐状部材と、を有することが望ましい。
【００１４】
このような構成のオムツ収納容器を用いたことにより、利用者又は介護者はオムツをオムツ収納容器内に収納する作業を簡単に行うことができる。例えば、予め、両面に粘着剤を塗布した粘着部材を利用者のオムツの底部に貼り付けておく。利用者が便座に着座すると、その粘着部材とオムツ収納容器の粘着テープとはしっかりと接着する。次に、オムツの両サイドを切断し、利用者が少しお尻を上げるような前かがみ姿勢をとる。この状態で、利用者又は介護者が第二紐状部材を引っ張ると、第二紐状部材と繋がれた第一紐状部材による下向きの力により紙部材が破れて若しくは容器先端部から剥がれて、オムツはオムツ取込口から真下に向かって落下し、その後、第一紐状部材がＬ型管状部材の切れ目を介してそのＬ型管状部材から外れて、オムツは容器本体部の奥にまで引き込まれる。このように、利用者又は介護者は、第二紐状部材を引っ張るだけで、利用者が着用しているオムツに触れることなく、そのオムツをオムツ収納容器内に容易に収納することができる。
【００１５】
更に、本発明に係る腰掛式水洗便器は、便器開口部の外側に設けられた、容器先端部を便器開口部を介して便器本体内に挿入したときにオムツ収納容器が略水平状態を維持するように容器本体部を支持する支持手段を備えることが望ましい。このような支持手段を設けたことにより、容器先端部を便器本体内に挿入したときに容器先端部が便器本体内において傾いてしまうのを確実に防止することができる。
【発明の効果】
【００１６】
本発明の腰掛式水洗便器は、便器本体の所定の側面上部に形成された便器開口部と、便器開口部を塞ぐ着脱自在又は開閉自在な蓋部と、蓋部を取り外して又は開けて便器開口部から水平方向に沿って便器本体内に挿入することにより便器本体に装着されるオムツ収納容器とを備えることにより、オムツを使用している高齢者や要介護者等の利用者がオムツを交換する場合、便器本体から蓋部を取り外して又は開けて、オムツ収納容器を便器本体に装着した後、利用者が便座に着座した状態で利用者本人又は介護者がオムツを便器本体内に落下させるだけで、オムツをオムツ収納容器の上面に形成されたオムツ取込口からそのオムツ収納容器内に収納することができる。このオムツを収納したオムツ収納容器はそのまま可燃ゴミとして廃棄することができるので、取り外したオムツの処分が簡単である。また、利用者又は介護者はその取り外したオムツを直接手で触れる必要がないので、オムツ処分の作業はとても衛生的である。
【図面の簡単な説明】
【００１７】
【図１】図１は本発明の一実施形態である腰掛式水洗便器の概略斜視図である。
【図２】図２（ａ）は図１に示す腰掛式水洗便器の概略正面図、図２（ｂ）はその腰掛式水洗便器の概略平面図である。
【図３】図３は図１に示す腰掛式水洗便器の概略側面図である。
【図４】図４（ａ）はオムツ収納容器を取り除いた状態の本実施形態の腰掛式水洗便器の概略側面図、図４（ｂ）はオムツ収納容器を取り除いて蓋部を装着した状態の本実施形態の腰掛式水洗便器の概略側面図である。
【図５】図５は本実施形態の腰掛式水洗便器に用いられる便器本体の概略斜視図である。
【図６】図６（ａ）は本実施形態の腰掛式水洗便器に用いられる蓋部の概略斜視図、図６（ｂ）はその蓋部の概略正面図、図６（ｃ）はその蓋部の概略側面図である。
【図７】図７（ａ）は本実施形態の腰掛式水洗便器に用いられるオムツ収納容器の概略斜視図、図７（ｂ）はそのオムツ収納容器の概略平面図である。
【図８】図８（ａ）は図７に示すオムツ収納容器の概略側面図、図８（ｂ）はそのオムツ収納容器の概略背面図である。
【図９】図９は図７（ｂ）に示すオムツ収納容器のＡ−Ａ矢視方向概略拡大部分断面図である。
【図１０】図１０はオムツ収納容器に用いられるＬ型管状部材の概略斜視図である。
【図１１】図１１は紙オムツを交換する際の要介護者の姿勢を説明するための図である。
【図１２】図１２は紙オムツがオムツ収納容器に収納されるときの様子を説明するための図である。
【発明を実施するための形態】
【００１８】
以下に、図面を参照して、本願に係る発明を実施するための形態について説明する。図１は本発明の一実施形態である腰掛式水洗便器の概略斜視図、図２（ａ）はその腰掛式水洗便器の概略正面図、図２（ｂ）はその腰掛式水洗便器の概略平面図、図３はその腰掛式水洗便器の概略側面図である。ここで、図１乃至図３では、後述のオムツ収納容器を便器本体に装着した状態の腰掛式水洗便器を示している。また、図４（ａ）はオムツ収納容器を取り除いた状態の腰掛式水洗便器の概略側面図、図４（ｂ）はオムツ収納容器を取り除いて蓋部を装着した状態の腰掛式水洗便器の概略側面図である。
【００１９】
本実施形態の腰掛式水洗便器は、通常の便器として機能するだけでなく、紙オムツを使用している大人がオムツ交換時に利用することを目的に開発されたものである。この腰掛式水洗便器の主な利用者としては、紙オムツを使用している者であって、自分でトイレに行くことができる者、又は介助があればトイレに行って便座に座ったり立ったりすることができる者を想定している。このため、本実施形態の腰掛式水洗便器は、例えば、特別養護老人ホーム、病院、公共施設等のトイレに設置される。また、利用者が使用している紙オムツは、パンツタイプの紙オムツ、テープタイプの紙オムツのいずれであってもよい。特に、本実施形態では、パンツタイプの紙オムツを使用する者がこの腰掛式水洗便器を利用してオムツ交換を行う場合を説明する。
【００２０】
本実施形態の腰掛式水洗便器は、水洗式のものであり、図１乃至図４に示すように、便器本体１０と、便座２０と、便器開口部３０と、蓋部４０と、局部洗浄装置（不図示）と、オムツ収納容器６０と、容器載置台７０と、支持手段８０とを備える。また、この腰掛式水洗便器は、便器本体１０の洗浄に用いられる洗浄水を貯水するタンクや、便座２０を上から覆う便蓋等をも備えている。これらタンクや便蓋等は、通常の便器に用いられるものと同様であるので、ここでは、その詳細な説明を省略すると共に図面においてもその図示を省略する。
【００２１】
図５は本実施形態の腰掛式水洗便器に用いられる便器本体１０の概略斜視図である。図５に示すように、便器本体１０は、この便器を利用する者の排泄物を受けるボウル部１１を有する。このボウル部１１には、一定水位の溜水が溜められている。この溜水は、排水管とボウル部１１との連絡を遮断し、臭気が排水管の側から上がっているのを防ぐ役割を有している。便器本体１０のサイズについては、図２に示すように、例えば、横幅Ｗ１が約３７ｃｍ、奥行きＤ１が約４７ｃｍ、高さＨ１が約３８ｃｍである。本実施形態の腰掛式水洗便器では、便器本体１０内の排泄物をタンクからの洗浄水により流して排水管に排出する。
【００２２】
また、図１乃至図４に示すように、便器本体１０の上側には便座２０が設けられている。利用者は便座２０に着座して排便やオムツ交換を行う。特に、本実施形態では、便座２０として、利用者の臀部が載置される後部分の高さがその後部分の前側に位置する前部分の高さよりも低くなるように形成したものを用いている。具体的には、例えば図１、図２（ｂ）及び図３に示すように、便座２０の前側約３分の１の部分を前部分２０ａ、便座２０の後側約３分の２の部分を後部分２０ｂとしたときに、前部分２０ａの高さｈ１を約４ｃｍとし、一方、後部分２０ｂの高さｈ２を約２ｃｍとしている。
【００２３】
便器本体１０の所定の側面上部には、図５に示すように、便器開口部３０が形成されている。具体的に、便器本体１０を正面から見たときの便器本体１０の右側の部分は、上端から下方向に約１１ｃｍ、横方向に約２０ｃｍの範囲が切り欠いたような状態になっており、この範囲が便器開口部３０である。すなわち、本実施形態では、便器開口部３０は便器本体１０の右側面の上端部に形成された、上方が開放されている切欠き部である。この便器開口部３０にオムツ収納容器６０を挿入したときの様子を示しているのが、図１乃至図３である。尚、便器開口部３０は、上方が開放されている切欠き部ではなく、便器本体１０の側面上部に形成された、上方が開放されていない開口部であってもよい。但し、この場合、この上方が開放されていない開口部はなるべく便器本体１０の上端に近い箇所に形成することが望ましい。便器開口部３０にオムツ収納容器６０を装着したときに、オムツ収納容器６０の上面が便座２０の近くに配置されるようにするためである。
【００２４】
蓋部４０は、便器開口部３０を塞いで便器本体１０内の排泄物や洗浄水が外部に漏れるのを防止する役割を果たすものであり、便器本体１０に着脱自在に装着される。蓋部４０を便器本体１０に装着したときの様子が図４（ｂ）に示されている。図６（ａ）は蓋部４０の概略斜視図、図６（ｂ）はその蓋部４０の概略正面図、図６（ｃ）はその蓋部４０の概略側面図である。図６（ｂ）に示すように、正面から見たときの蓋部４０の形状は略長方形である。この蓋部４０のサイズは便器開口部３０のサイズと略同じである。本実施形態では、蓋部４０をシリコンゴムで作製している。蓋部４０の正面中央には、蓋部４０を掴むための取っ手４１が設けられている。また、蓋部４０の左右の側部及び底部には溝４２が形成されている。この溝４２内に便器開口部３０の周囲に位置する便器本体１０の端部が入り込むようにして蓋部４０を便器本体１０に装着する。これにより、蓋部４０と便器本体１０とが密着するので、蓋部４０は便器開口部３０を隙間なく塞ぐことができる。実際、蓋部４０を便器本体１０に装着するには、例えば、便座２０を上げて、蓋部４０を便器本体１０の上方から便器開口部３０内に差し込めばよい。あるいは、シリコンゴムは柔軟性を有しているので、便座２０を上げなくても、蓋部４０を湾曲させて、蓋部４０を便器本体１０の側面から便器開口部３０内に嵌め込むようにすればよい。図４（ｂ）に示すように蓋部４０を便器開口部３０に装着すると、本実施形態の腰掛式水洗便器を通常の水洗便器として使用することができ、タンクからの洗浄水を流すことができる。
【００２５】
局部洗浄装置は、利用者が排泄した後に洗浄水（温水）を便器本体１０内の洗浄水口へ供給し、その洗浄水口から利用者の局部に噴射させるものであり、便器本体１０の後部に取り付けられている。この局部洗浄装置としては、通常の水洗便器に設けられているものと同じものを用いることができる。このため、本実施形態では、局部洗浄装置についての詳細な説明を省略すると共に図面においてもその図示を省略する。
【００２６】
オムツ収納容器６０は、便座２０に着座した利用者の紙オムツを収納するためのものである。このオムツ収納容器６０は、図１乃至図３に示すように、蓋部４０を取り外して便器開口部３０から水平方向に沿って便器本体１０内に部分的に挿入することにより便器本体１０に装着される。図７（ａ）はオムツ収納容器６０の概略斜視図、図７（ｂ）はそのオムツ収納容器６０の概略平面図、図８（ａ）はそのオムツ収納容器６０の概略側面図、図８（ｂ）はそのオムツ収納容器６０の概略背面図である。また、図９は図７（ｂ）に示すオムツ収納容器６０のＡ−Ａ矢視方向概略拡大部分断面図である。
【００２７】
オムツ収納容器６０は、図７及び図８に示すように、便器本体１０内に挿入される部分である容器先端部６１０と、その容器先端部６１０に水平方向に連なる容器本体部６２０とを備えている。このオムツ収納容器６０は、可燃性材料で作製されている。具体的に、例えば本実施形態では、オムツ収納容器６０をダンボールで作製している。オムツ収納容器６０の形状は略直方体形状である。その内部は空洞になっている。オムツ収納容器６０の横幅Ｗ２は約２０ｃｍ、その奥行き（長手方向の長さ）Ｄ２は約５２ｃｍ、その高さＨ２は約１０ｃｍである。また、容器先端部６１０の奥行きＤ２１は約１９ｃｍ、容器本体部６２０の奥行きＤ２２は約３３ｃｍである。
【００２８】
容器先端部６１０の上面には、紙オムツを内部に取り込むためのオムツ取込口６１１が形成されている。具体的に、カッター等で容器先端部６１０の上面に略円形状又は略楕円形状の図形を切り抜くことにより、オムツ取込口６１１が作製される。本実施形態では、オムツ取込口６１１の形状を、直径約１７ｃｍの円形状としている。また、このオムツ取込口６１１の周囲におけるダンボールの端縁部には、環状部材６１２が取り付けられている。この環状部材６１２は、断面が略円形状であってその長さがオムツ取込口６１１の周囲の長さと略同じであるものを用いている。例えば、環状部材６１２としては、直径約２ｃｍの水道用ホースを用いることができる。この環状部材６１２にはその長手方向に沿って切り込みが入れられている。そして、図９に示すように、環状部材６１２の切り込みを入れた部分で、オムツ取込口６１１の周囲におけるダンボールの端縁部を挟み込むことにより、環状部材６１２をそのダンボールの端縁部に取り付けている。尚、本実施形態では、環状部材６１２を取り付けた状態のオムツ収納容器６０の高さは約１１ｃｍである。
【００２９】
また、図７及び図８に示すように、オムツ収納容器６０は、紙部材６３と、粘着テープ６４と、Ｌ型管状部材６５と、孔部６６と、第一紐状部材６７と、第二紐状部材６８とを有する。紙部材６３としては、例えば、６ｃｍ×２６ｃｍの長方形状の紙を用いている。この紙部材６３は、環状部材６１２の下側においてオムツ取込口６１１の略中央部を通るように互いに対向する容器先端部６１０の部位の間にピンと張った状態で配置され、紙部材６３の両端部は対応する容器先端部６１０の部位に貼り付けられている（図９参照）。紙部材６３の略中央部の上面には、粘着テープ６４が貼り付けられている。この粘着テープ６４としては両面粘着テープを用いている。粘着テープ６４の表面の剥離紙は、オムツ収納容器６０を使用するまで剥がさないでおく。尚、紙部材６３は、環状部材６１２の上側に配置するようにしてもよい。
【００３０】
図１０はＬ型管状部材６５の概略斜視図である。このＬ型管状部材６５は、図１０に示すように、Ｌ字状に曲がった形状に形成されている。本実施形態では、Ｌ型管状部材６５として、プラスチック又は硬質塩化ビニール製のものであって、外径が１ｃｍで長さが２ｃｍ×３ｃｍであるものを用いている。このＬ型管状部材６５の表面には、一方の開口端からＬ字に折曲した内側頂部を通って他方の開口端に向かう切れ目６５１が形成されている。すなわち、Ｌ型管状部材６５の表面には、一方の開口端と他方の開口端とを最短距離で結ぶ線上に切れ目６５１が形成されている。この切れ目６５１の幅は約１ｍｍである。ここで、両方の開口端における切れ目６５１に対応する角部には、丸みを付けている。Ｌ型管状部材６５は、図８（ａ）に示すように、当該一方の開口端が粘着テープ６４の側を向き当該他方の開口端が容器本体部６２０の側を向くように容器先端部６１０の底部に固定されている。また、Ｌ型管状部材６５の当該他方の開口端に対向する容器本体部６２０の所定部位には、孔部６６が形成されている。この孔部６６の形状は直径約２ｃｍの円である。
【００３１】
図７（ａ）及び図８（ａ）に示すように、第一紐状部材６７は、その一端が粘着テープ６４（又は紙部材６３）に取り付けられている。この第一紐状部材６７の直径は、Ｌ型管状部材６５の切れ目６５１よりも小さい。例えば、第一紐状部材６７としては、直径約０．５ｍｍで長さ約７ｃｍの釣り糸を用いることができる。また、第二紐状部材６８は、その一端が第一紐状部材６７の他端に繋がれている。第二紐状部材６８は、Ｌ型管状部材６５内を通り容器本体部６２０から孔部６６を介して外部に引き出されている。この第二紐状部材６８の直径は、Ｌ型管状部材６５の切れ目６５１よりも大きい。例えば、第二紐状部材６８の直径は約５ｍｍで、その長さは約１００ｃｍである。
【００３２】
容器載置台７０は、オムツ収納容器５０を載せるためのものであり、図１乃至図３に示すように、便器開口部３０が形成された便器本体１０の外側に設けられている。ここでは、容器載置台７０を、便器本体１０を正面から見たときの便器本体１０の右側に設けている。この容器載置台７０の高さは、便器開口部３０の下端の高さと略同じである。このため、オムツ収納容器６０を容器載置台７０の上に置き、オムツ収納容器６０を便器開口部３０に向けて押せば、オムツ収納容器６０の容器先端部６１０を、便器開口部３０を介して便器本体１０内にスムースに挿入することができる。また、容器載置台７０上には支持手段８０が設けられている。この支持手段８０は、オムツ収納容器を支持するものであり、オムツ収納容器６０が便器開口部３０に向かう方向及びそれと反対方向以外の方向に移動するのを規制すると共に上方向又は下方向に回転して傾くのを規制する役割を果たす。本実施形態では、支持手段８０として、オムツ収納容器６０がギリギリ通過することができるような大きさの枠体を用いている。これにより、オムツ収納容器６０を支持手段８０である枠体の中に通しておけば、便器開口部３０を介して容器先端部６１０を便器本体１０内に挿入したときには、容器本体部６２０のすぐ上側に支持手段８０の枠体上部が位置しているため、オムツ収納容器６０が上下方向に傾くような動きが規制されるので、オムツ収納容器６０は略水平状態を維持することができる。
【００３３】
次に、本実施形態の腰掛式水洗便器を利用して紙オムツを使用する者がその紙オムツを交換する方法を説明する。ここでは、紙オムツを使用している要介護者が本実施形態の腰掛式水洗便器を利用し、介護者の介助を受けて紙オムツを交換する場合を説明する。図１１は紙オムツを交換する際の要介護者の姿勢を説明するための図、図１２は紙オムツがオムツ収納容器６０に収納されるときの様子を説明するための図である。
【００３４】
まず、要介護者又は介護者は、便器本体１０にオムツ収納容器６０を装着する。具体的には、要介護者又は介護者は、便器本体１０から蓋部４０を取り外す（図４（ａ）参照）。そして、オムツ収納容器６０を容器載置台７０に載せる。その後、要介護者又は介護者は、オムツ収納容器６０を支持手段８０の中に通し、容器先端部６１０を、便器開口部３０を介して便器本体１０内に挿入する。このとき、オムツ取込口６１１又は粘着テープ６４が便器本体１０の略中央に位置するように、オムツ収納容器６０の位置を調整する（図２（ｂ）参照）。こうして、図１乃至図３に示すように、オムツ収納容器６０は便器本体１０に装着される。ここで、本実施形態の腰掛式水洗便器では、容器本体部６１０を支持する支持手段８０を便器開口部３０の外側に設けたことにより、容器先端部６１０を便器本体１０内に挿入したときに容器先端部６１０が便器本体１０内において傾いてしまうのを確実に防止することができる。また、要介護者又は介護者は、この時点で、オムツ収納容器６０に設けられた粘着テープ６４の表面の剥離紙を剥がす。
【００３５】
次に、介護者は、図１１に示すように、要介護者の紙オムツ１００の底部に両面粘着テープ（粘着部材）２１０を貼り付ける。その後、要介護者は便座２０に腰掛ける。すると、紙オムツ１００の両面粘着テープ２１０と、オムツ収納容器６０の粘着テープ６４とはくっ付くようになる。介護者はこれら二つの粘着テープがしっかりとくっ付いていることを確認した後、介護者又は要介護者は、紙オムツ１００の両側部を手で又はハサミを使って切断する。通常、紙オムツ１００の両側部を切っても、紙オムツ１００は身体にフィットしており、自然に落ちることはない。尚、紙オムツがパンツタイプのものではなく、テープタイプのものであれば、その紙オムツのテープを剥がすだけでよい。
【００３６】
次に、介護者は、要介護者の前に、図１１に示すような上半身レスト（rest）台２２０を持ってくる。上半身レスト台２２０とは、要介護者が自分の肘を付いて体重を前方に移動し、前かがみの状態になるための支持台のことである。このため、上半身レスト台２２０は簡単に動かないように設置することが望ましい。こうして、要介護者は、図１１に示すように、この上半身レスト台２２０を用いて前かがみの状態になる。また、便器本体１０の近傍の壁に介護用の手すり等が設けられている場合には、上半身レスト台２２０を使用せずとも、その手すり等を使って、要介護者は前かがみの状態になってもよい。更に、要介護者は自ら前かがみの状態になることができるのであれば、上半身レスト台２２０や手すり等は使用しなくてもよい。こうして、要介護者が前かがみの状態になると、お尻が少し浮くようになり、紙オムツ１００はお尻と便座２０との間で圧迫されないようになる。特に、本実施形態の腰掛式水洗便器では、便座２０の後部分２０ｂの高さが便座２０の前部分２０ａの高さよりも低くなるように形成された便座２０を用いたことにより、要介護者が便座２０に着座すれば、要介護者のお尻は自然に便座２０から少し浮いた状態になるので、紙オムツ１００を身体から取り外し易くなる。
【００３７】
こうして、介護者は、紙オムツ１００の両面粘着テープ２１０とオムツ収納容器６０の粘着テープ６４とがしっかりとくっ付いていること、及び、要介護者のお尻が少し浮いた状態になっていることを確認した後に、容器本体部６２０の孔部６６から外に出ている第二紐状部材６８を引っ張ることにより、紙オムツ１００をオムツ収納容器６０の容器本体部６２０にまで引き込んで収納する。
【００３８】
いま、紙オムツ１００がどのようにしてオムツ収納容器６０に収納されるかについて、図１２を参照して詳しく説明する。具体的に、介護者が第二紐状部材６８を引っ張ると、その第二紐状部材６８に繋がれた第一紐状部材６７による下向きの力により、その粘着テープ６４が貼られている紙部材６３が破れる（もしくは容器先端部６１０から剥がれる）。この時点では、第二紐状部材６８の一部はＬ型管状部材６５の中にあり、両面粘着テープ２１０を介して粘着テープ６４とくっ付いている紙オムツ１００は第一紐状部材６７及び第二紐状部材６８により下方に引っ張られる。こうして、図１２（ａ）に示すように、紙オムツ１００はオムツ取込口６１１から真下に向かって容器先端部６１０内に引き込まれる。ここで、本実施形態では、オムツ取込口６１１の周囲におけるダンボールの端縁部に、断面が略円形状である環状部材６１２を取り付けているので、紙オムツ１００は環状部材６１２にひっかかることなくその環状部材６１２の表面をスムースに滑り落ちることでき、したがって、紙オムツ１００を容器先端部６１０内に確実に取り込むことができる。実際、ダンボールのエッジである切り口は摩擦が大きいので、上記環状部材６１２のような何らかの手段を講じないと、紙オムツ１００はダンボールのエッジに引っかかってしまう。
【００３９】
紙オムツ１００が容器先端部６１０の底部に落ちた後も、介護者は引き続き第二紐状部材６８を引っ張ると、第二紐状部材６８はＬ型管状部材６５から離れてしまい、第一紐状部材６７だけがＬ型管状部材６５の中に含まれるようになる。第一紐状部材６７の太さはＬ型管状部材６５の切れ目６５１の幅よりも細いので、介護者が第二紐状部材６８を引っ張り続けると、第一紐状部材６７はその切れ目６５１を通り抜けてＬ型管状部材６５から外れてしまう。ここで、本実施形態では、Ｌ型管状部材６５の両開口端における切れ目６５１に対応する角部には丸みを付けているので、第一紐状部材６７は容易に切れ目６５１に入り込むことができる。これにより、図１２（ｂ）に示すように、紙オムツ１００は第一紐状部材６７及び第二紐状部材６８により横方向に引っ張られる。介護者がさらに第二紐状部材６８を引っ張り続けると、図１２（ｃ）に示すように、紙オムツ１００は容器本体部６２０の奥に到達することになる。こうして、介護者は、第二紐状部材６８を引っ張るだけで、要介護者が着用している紙オムツ１００に触れることなく、その紙オムツ１００をオムツ収納容器６０内に容易に収納することができる。尚、第二紐状部材６８を引っ張るのは、介護者ではなく要介護者本人が行ってもよい。但し、この場合、オムツ収納容器６０は動かないように一時的に固定しておくことが望ましい。
【００４０】
次に、介護者は、オムツ収納容器６０を便器本体１０から取り外す。この取り出したオムツ収納容器６０はそのまま廃棄される。すなわち、本実施形態では、衛生上の観点から、オムツ収納容器６０を使い捨てとしている。このため、ダンボールを用いてオムツ収納容器６０を作製することで、オムツ収納容器６０の製造コストの低下を図っている。その後、介護者は、要介護者が便座に着座したまま、蓋部４０を便器本体１０の横から便器本体１０に装着して、便器開口部３０を塞ぐ。本実施形態の腰掛式水洗便器では、シリコンゴムで作製された蓋部４０を用いているので、介護者は蓋部４０を便器本体１０の側面側から便器開口部３０に容易に嵌め込むことができる。
【００４１】
次に、要介護者は、局部洗浄装置を操作して自らの局部を洗浄する。これにより、介護者は要介護者のお尻を拭き取る等の作業を行う必要がなくなる。このため、介護者の負担を軽減することができると共に、要介護者も自らの尊厳を保つことができる。その後、要介護者は、新しい紙オムツに履き替える。
【００４２】
本実施形態の腰掛式水洗便器では、紙オムツを使用する者（例えば、要介護者）が紙オムツを交換する場合、便器本体から蓋部を取り外し、オムツ収納容器を便器本体に装着した後、要介護者が便座に着座した状態で要介護者本人又は介護者が紙オムツを便器本体内に落下させることにより、紙オムツはオムツ取込口から容器先端部内に入り込んで、オムツ収納容器に収納される。この紙オムツを収納したオムツ収納容器はそのまま可燃ゴミとして廃棄することができるので、取り外した紙オムツの処分が簡単である。また、要介護者又は介護者はその取り外した紙オムツを直接手で触れる必要がないので、紙オムツ処分の作業は衛生的である。
【００４３】
また、本実施形態の腰掛式水洗便器は局部洗浄装置を更に備えていることにより、紙オムツがオムツ収納容器に収納された後、オムツ収納容器を便器本体から取り外し、蓋部で便器開口部を塞げば、要介護者は局部洗浄装置を使って自らの局部を洗浄することができる。したがって、介護者は要介護者のお尻を拭き取る等の作業を行う必要がなくなり、介護者の負担を軽減することができると共に、要介護者にとっても尊厳が保たれるという効果がある。
【００４４】
更に、本実施形態の腰掛式水洗便器では、オムツ収納容器として、上述のように、紙部材、粘着テープ、Ｌ型管状部材、孔部、第一紐状部材、第二紐状部材を備えるものを用いたことにより、要介護者又は介護者は、第二紐状部材を引っ張るだけで、要介護者が着用している紙オムツに触れることなく、その紙オムツをオムツ収納容器内に容易に収納することができる。
【００４５】
尚、本発明は上記の実施形態に限定されるものではなく、その要旨の範囲内において種々の変形が可能である。
【００４６】
例えば、上記の実施形態では、便器本体の所定の側面上部に、上下方向の長さが約１１ｃｍである便器開口部を形成した場合について説明したが、便器開口部の上下方向の長さはなるべく短くするのが好ましい。便器開口部の下端はボウル部内の溜水の水位よりもできるだけ高い位置にあるのが望ましいからである。例えば、便器開口部の上下方向の長さは少なくとも５ｃｍ〜６ｃｍとすることができる。オムツ収納容器についても便器開口部の上下方向の長さに対応した高さにする必要があるが、オムツ収納容器の高さを５ｃｍよりも小さくしたのでは、紙オムツがオムツ収納容器内に入りにくくなってしまうからである。
【００４７】
また、上記の実施形態では、オムツ収納容器のオムツ取込口の周囲におけるダンボールの端縁部に、環状部材を取り付けた場合について説明したが、オムツ取込口の周囲におけるダンボールの端縁部には、環状部材を取り付ける代わりに、紙オムツが直接、そのダンボールの端縁部に接触しないような手段を講じるようにしてよい。例えば、環状部材を取り付けずに、オムツ取込口の周囲におけるダンボールの端縁部を内側に折り曲げるようにしてもよい。これによっても、紙オムツをオムツ取込口からオムツ収納容器内に取り込んだときに、紙オムツがダンボールの端縁に引っかかってしまうのを防止することができる。
【００４８】
また、上記の実施形態では、Ｌ型管状部材として、プラスチック又は硬質塩化ビニール製のものであって、一方の開口端からＬ字の隅部を通って他方の開口端に向かう切れ目が形成されているものを用いた場合について説明したが、本発明はこれに限定されものではなく、Ｌ型管状部材は、紐状部材を案内することができるものであればどのような構成であってもよい。例えば、Ｌ型管状部材としては、Ｌ字状に曲げられた、中空のダンボール製のものであって、上記切れ目が形成されていないものを用いることができる。この場合、このダンボール製のＬ型管状部材は、紙オムツをオムツ取込口から容器先端部内に引き込んだ後に紐状部材を強く引っ張ったときに、そのＬ型管状部材が紙オムツからの力を受けて容器先端部の底部から外れるように、容器先端部に貼り付けておくことが望ましい。また、Ｌ型管状部材の代わりに、所定の補強を施した、断面が例えばＬ字状又は口字状であるように形成されたダンボール製案内部材を用いてもよい。ここで、このダンボール製案内部材は、ダンボール製案内部材と容器先端部の底部との間に紐状部材を通すことができる空間が維持できるように当該底部に貼り付けておく。この場合も、ダンボール製案内部材は、紙オムツをオムツ取込口から容器先端部内に引き込んだ後に紐状部材を強く引っ張ったときに、そのダンボール製案内部材が紙オムツからの力を受けて容器先端部の底部から外れるように、容器先端部に貼り付けておくことが望ましい。
【００４９】
また、上記の実施形態では、紙オムツをオムツ収納容器に収納する際に、要介護者の紙オムツの底部に両面粘着テープを貼り付け、その両面粘着テープと、オムツ収納容器の粘着テープとをくっ付ける場合について説明したが、要介護者の紙オムツの底部には必ずしも両面粘着テープを貼り付ける必要はない。例えば、オムツ収納容器の粘着テープとして、強力な粘着剤を有するものを用いるような場合には、要介護者の紙オムツの底部に両面粘着テープを貼り付けなくても、そのオムツ収納容器の粘着テープを紙オムツにしっかりとくっ付けることができるからである。
【００５０】
上記の実施形態では、介護者又は要介護者が手で第二紐状部材を引っ張ることにより紙オムツをオムツ収容容器に収納する場合について説明したが、例えば、電動モーターを有する紐巻取り装置を用いて、第二紐状部材を自動で巻き取ることにより、紙オムツをオムツ収納容器に収納するようにしてもよい。
【００５１】
また、上記の実施形態において、オムツ収納容器は、紙部材、粘着テープ、Ｌ型管状部材、孔部、第一紐状部材、第二紐状部材を備えていなくてもよい。この場合であっても、要介護者が便座に着座した状態で要介護者本人又は介護者が紙オムツを落下させて、容器先端部内に入れることができれば、紙オムツを簡単に廃棄することができる。
【００５２】
また、上記の実施形態では、オムツ収納容器を便器本体内に部分的に挿入することにより便器本体に装着する場合について説明したが、オムツ収納容器は、そのほぼ全体を便器本体に挿入して便器本体に装着されるものであってもよい。この場合、例えば、便器本体に装着されたオムツ収納容器の端部に、例えばゴム部材を引っ掛けることにより、そのオムツ収納容器が便器本体内で動かないように固定することが望ましい。
【００５３】
更に、上記の実施形態では、支持手段として、容器載置台上に設けられた枠体を用いた場合について説明したが、支持手段としては、オムツ収納容器を容器載置台に一時的に固定するためのゴムバンド等を用いるようにしてもよい。
【００５４】
また、上記の実施形態では、容器載置台及び支持手段を、便器本体を正面から見たときの便器本体の右側に設けた場合について説明したが、便器本体を正面から見たときの便器本体の左側に設けるようにしてもよい。更に、上記の実施形態では、支持手段を容器載置台上に設けた場合について説明したが、支持手段は便器本体に取り付けるようにしてもよい。
【００５５】
また、上記の実施形態の腰掛式水洗便器は、オムツ収納容器を便器開口部に挿入して便器本体に装着した場合に、オムツ収納容器の容器先端部が上方に少し回転するような機構を備えていてもよい。要介護者が便座に着座したときに、オムツ収納容器の容器先端部を上方に回転させることにより、オムツ収納容器の粘着テープを紙オムツに確実に接着させることができる。
【００５６】
また、上記の実施形態の腰掛式水洗便器は、例えば、操作ボタンを押すことによりオムツ収納容器を自動で便器開口部内に進行させて便器本体に装着する機構や、操作ボタンを押すことによりオムツ収納容器を自動で便器本体から取り外す機構を備えていてもよい。これにより、要介護者は自分一人でオムツ収納容器の収納を容易に行うことができる。
【００５７】
更に、上記の実施形態では、介護者又は要介護者が手で第二紐状部材を引っ張ることにより紙オムツをオムツ収納容器に収納する場合について説明したが、紙オムツをオムツ収納容器に収納する方法はこれに限られず、例えば、要介護者が紙オムツをオムツ取込口から容器先端部内に落下させたときに、所定の機器でオムツ収納容器内の空気を吸引することにより、その落下した紙オムツを容器本端部の奥にまで引き込むようにしてもよい。
【００５８】
また、上記の実施形態では、蓋部として着脱自在に構成されたものを用い、介護者又は要介護者がその蓋部で便器開口部を塞ぐ場合について説明したが、蓋部としては開閉自在に構成されたものを用いてもよい。例えば、本発明の腰掛式水洗便器に、蓋部が自動で便器開口部を塞ぐような機構を設けるようにしてもよい。一例として、蓋部を便器開口部に対応する便器本体の内側の位置に回転自在に設けることが考えられる。この蓋部にはバネを取り付け、通常、蓋部がバネの付勢力で便器開口部を押圧するようにしておく。この場合、オムツ収納容器をバネの付勢力に抗して便器開口部内に押し込むと、蓋部が開き、オムツ収納容器が便器本体に装着される。その後、オムツ収納容器を便器本体から引き出すと、バネの付勢力により蓋部が自動的に便器開口部を塞ぐ。尚、この場合、蓋部に溝を設ける必要はないが、代わりに、蓋部と便器とが接触する箇所には、洗浄水が漏れないようにシールするシール部材を設けることが望ましい。
【００５９】
更に、上記の実施形態では、本発明の腰掛式水洗便器を、特別養護老人ホーム、病院、公共施設等のトイレに設置される便器に適用した場合について説明したが、本発明の腰掛式水洗便器は、移動用便器にも適用することができる。
【産業上の利用可能性】
【００６０】
以上説明したように、本発明の腰掛式水洗便器では、オムツを使用している高齢者や要介護者等の利用者がオムツを交換する場合、便器本体から蓋部を取り外して又は開けて、オムツ収納容器を便器本体に装着した後、利用者が便座に着座した状態で利用者本人又は介護者がオムツを便器本体内に落下させることにより、オムツはオムツ取込口からオムツ収納容器内に入り込んで、オムツ収納容器に収納される。このオムツを収納したオムツ収納容器はそのまま可燃ゴミとして廃棄することができるので、取り外したオムツの処分が簡単である。また、利用者又は介護者はその取り外したオムツを直接手で触れる必要がないので、オムツ処分の作業はとても衛生的である。したがって、本発明は、特に、特別養護老人ホーム、病院、公共施設等のトイレにおける便器に用いるのに適している。
【符号の説明】
【００６１】
１０  便器本体
１１  ボウル部
２０  便座
３０  便器開口部
４０  蓋部
４１  取っ手
４２  溝
６０  オムツ収納容器
６１０  容器先端部
６１１  オムツ取込口
６１２  環状部材
６２０  容器本体部
６３  紙部材
６４  粘着テープ
６５  Ｌ型管状部材
６５１  切れ目
６６  孔部
６７  第一紐状部材
６８  第二紐状部材
７０  容器載置台
８０  支持手段
１００  紙オムツ
２１０  両面粘着テープ
２２０  上半身レスト台
【図１】
2019035273.tif 000003
【図２】
2019035273.tif 000004
【図３】
2019035273.tif 000005
【図４】
2019035273.tif 000006
【図５】
2019035273.tif 000007
【図６】
2019035273.tif 000008
【図７】
2019035273.tif 000009
【図８】
2019035273.tif 000010
【図９】
2019035273.tif 000011
【図１０】
2019035273.tif 000012
【図１１】
2019035273.tif 000013
【図１２】
2019035273.tif 000014